(57)【要約】【課題】  筐体の背板に設けられる開口を簡単に開放できるようにした遊技機を提供する。【解決手段】  背板２ｄに開口２３を予め形成するとともに、開口２３に背板２ｄの後側から着脱可能なカバー５０を設け、カバー５０は、開口２３を閉鎖可能なカバー部５１と、背板２ｄにおける開口２３の前面周縁に係合可能な弾性爪片５４と、カバー部５１に指が挿入可能な大きさに穿設され、かつ挿入される指により弾性爪片５４を開口２３の前面周縁から離脱させることを可能にする作業孔５２ａを有する。    【選択図】  図３
2006043312.tif 000002
【特許請求の範囲】
【請求項１】
遊技機器が収容される筐体の背板に、外部挿入物が挿入される開口が設けられる遊技機において、
前記背板に前記開口を予め形成するとともに、前記開口に前記背板の後側から着脱可能なカバーを設け、該カバーは、前記開口を閉鎖可能なカバー部と、前記背板における前記開口の前面周縁に係合可能な弾性爪片と、前記カバー部に指が挿入可能な大きさに穿設され、かつ挿入される指により前記弾性爪片を前記開口の前面周縁から離脱させることを可能にする作業孔を有することを特徴とする遊技機。
【請求項２】
カバーにおけるカバー部の後面を、後方に向けて突出する突起部を一切設けない平坦形状とした請求項１記載の遊技機。
【請求項３】
カバーにおけるカバー部の前面に、背板の開口の内周に沿って、外周面が嵌合可能なフランジ部を設けたことを特徴とする請求項１または２記載の遊技機。
【発明の詳細な説明】
【技術分野】
【０００１】
本発明は、遊技機器が収容される筐体の背板に、外部挿入物が挿入される開口が設けられる遊技機に関する。
【背景技術】
【０００２】
遊技機としてのスロットマシンにおいては、前面が開放した筐体と、筐体の前面に開閉可能に枢支される前扉とを備え、筐体内には、図柄や数字等で構成される複数の識別情報を変動表示可能なリールユニット、遊技媒体であるメダルを貯留及び払出可能な遊技機器をなすホッパーユニット等が収容されるとともに、筐体の背板には、ホッパーユニットにメダルを自動的に補給するための自動循環補給装置の補給ホース等の外部挿入物を筐体内に導くための開口が設けられる。この開口は、遊技場の遊技島に自動循環補給装置が設置されていない場合には閉鎖され、また、同じく設置されている場合には開放されるようになっている（例えば、特許文献１参照）。
【特許文献１】特開２００１−１２０７１０号公報
【発明の開示】
【発明が解決しようとする課題】
【０００３】
しかし、上述のような遊技機においては、背板に開口を形成する場合、背板に予め設けられた切断部を切断することによって、開口が形成されるようになっているため、開口の形成が面倒であるとともに、切断部を切断する際、破片が筐体内に飛び散り、ホッパーユニット等の遊技機器に作動不良を引き起こすおそれがある。
【０００４】
本発明は、従来の問題に鑑み、筐体の背板に設けられる開口を簡単に開放できるようにした遊技機を提供することを目的とする。
【課題を解決するための手段】
【０００５】
本発明によると、上記課題は、次のようにして解決される。
（１）遊技機器が収容される筐体の背板に、外部挿入物が挿入される開口が設けられる遊技機において、前記背板に前記開口を予め形成するとともに、前記開口に前記背板の後側から着脱可能なカバーを設け、該カバーは、前記開口を閉鎖可能なカバー部と、前記背板における前記開口の前面周縁に係合可能な弾性爪片と、前記カバー部に指が挿入可能な大きさに穿設され、かつ挿入される指により前記弾性爪片を前記開口の前面周縁から離脱させることを可能にする作業孔を有する。
【０００６】
（２）上記(１)項において、カバーにおけるカバー部の後面を、後方に向けて突出する突起部を一切設けない平坦形状とする。
【０００７】
（３）上記(１)または(２)項において、カバーにおけるカバー部の前面に、背板の開口の内周に沿って、外周面が嵌合可能なフランジ部を設ける。
【発明の効果】
【０００８】
本発明によれば、次のような効果が奏せられる。
（ａ）請求項１記載の発明によると、背板に予め形成された開口をカバーにより閉鎖し、また、必要に応じて、カバーの作業孔に指を差し込んで、弾性爪片の係合を離脱させることにより、カバーを簡単に開口から取り外して、開口を開放することができる。これにより、従来のように、切断部の破片が筐体内に飛び散ることがない。
【０００９】
（ｂ）請求項２記載の発明によると、カバーにおけるカバー部の後面を、突起部を一切設けない平坦形状としたことにより、遊技機の後面に突起部が無く、遊技機を安全に搬送することができる。
【００１０】
（ｃ）請求項３記載の発明によると、カバーにおけるカバー部の前面に、開口の内周に沿って嵌合可能なフランジ部を設けたことにより、カバーを背板に確実に固定することができる。
【発明を実施するための最良の形態】
【００１１】
以下、本発明の一実施形態を、図面に基づいて説明する。図１は、本発明を適用した遊技機の正面図、図２は、前扉を開けた状態の遊技機の正面図、図３は、斜め後方から見た筐体の斜視図、図４は、斜め前方から見たカバーの斜視図、図５は、カバーの正面図、図６は、図５におけるVI−VI線に沿う横断面図である。なお、以下の説明では、図１、２において紙面手前側を遊技機の「前方」とし、図１、２において紙面奥側を「後方」とし、図１、２において左側を「左方」とし、図１、２において右側を「右方」とする。
【００１２】
遊技場の遊技島に据え付けられる遊技機(１)としてのスロットマシンは、前面が開放した正面視矩形の筐体(２)と、筐体(２)の左側板(2a)における前端部に上下方向を向く上下１対のヒンジ軸(４)により開閉可能に枢支された前扉(３)とを備える。
【００１３】
図１に示すように、前扉(３)の前面には、前扉(３)の後面に取り付けられる液晶表示器（図示略）に表示される遊技情報及び演出情報を視認可能な遊技情報表示窓(3a)、筐体(２)内に取り付けられるリールユニット(６)（図２参照）の各回転リール(62)の識別情報を３こまずつ視認可能な識別情報表示窓(3b)、遊技を開始するときに遊技媒体であるメダルが投入されるメダル投入部(31)、全ての回転リール(62)を回転させるときに操作されるスタートレバー(34)、各回転リール(62)の回転を個別に停止させるときに操作される３個のストップボタン(35)等が設けられている。
【００１４】
前扉(３)は、閉状態にあるとき、前扉(３)の右部後面に設けられた上下のロック機構(７)（図２参照）が筐体(２)の右側板(2b)に設けられた係合部(図示略)に係合することにより、所定のキー等を使用しない限り開けられないようになっている。
【００１５】
筐体(２)内には、図２に示すように、複数種類の図柄、数字等で構成される識別情報を変動及び停止表示可能なリールユニット(６)、遊技媒体であるメダルを貯留及び払出可能な遊技機器をなすホッパーユニット(８)、ホッパーユニット(８)内にメダルが満杯になった場合、ホッパーユニット内のメダルを導入可能なオーバーフロータンク(９)、各種電気機器へ電力を供給する電源装置(12)等が収容される。なお、リールユニット(６)は、筐体(２)内に固定された中板(５)上に固定され、ホッパーユニット(８)、オーバーフロータンク(９)及び電源装置(12)は、筐体(２)の底板(2c)上に固定される。
【００１６】
リールユニット(６)は、中板(５)の上面に着脱自在に取り付けられる金属製のリール枠体(61)に左右方向を向く軸（図示略）により枢支され、外周面に識別情報が印刷または貼付された左、中、右の３個の回転リール(62)、及び各回転リール(62)を回転させるためのモータ（図示略）を有している。
【００１７】
リールユニット(６)の上部には、遊技進行が予めプログラムされ、遊技を統括的に制御する主制御基板(10)がその実装面が前面になるように取り付けられている。
【００１８】
遊技者がメダルをメダル投入部(31)に所定枚数投入して、メダルの賭数を設定した後、スタートレバー(34)を操作すると、各回転リール(62)は一斉に回転する。所定時間経過後に各回転リール(62)に対応する各ストップボタン(35)を順次操作すると各回転リール(62)が停止し、識別情報表示窓(3b)に表示される左、中、右の識別情報の組み合わせにより、入賞の有無、及び賞の大小に応じたメダルの配当枚数が決定される。入賞の場合には、入賞の大小に応じたメダルがホッパーユニット(８)から前扉(３)の受皿部(3a)に払い出され、遊技者は、メダルを得ることができる。
【００１９】
メダル投入部(31)に投入されたメダルは、前扉(３)の後面に設けられたメダルセレクター（図示略）により、メダルの真偽が検出され、真のメダルのみがホッパーユニット(８)内に投入されて貯留される。ホッパーユニット(８)内にメダルが満杯になった場合には、メダルはオーバーフロータンク(９)へ導入される。オーバーフロータンク(９)内に導入されたメダルは、ホッパーユニット(８)にメダルを自動的に補給するための自動循環補給装置（図示略）が遊技島に設置されている場合には、オーバーフロータンク(９)の底及び筐体(２)の底板(2c)に設けられた開口（図示略）から自動循環補給装置により回収され、また、自動循環補給装置が遊技島に設置されていない場合には、オーバーフロータンク(９)内に貯留される。
【００２０】
筐体(２)の背板(2d)には、図３に示すように、上から、主制御基板(10)が発生する熱を外部に排出するための複数の放熱孔(21)、リールユニット(６)が発生する熱を外部に排出するための複数の放熱孔(22)、遊技島に自動循環補給装置が設置されている場合、外部挿入物をなす補給ホース（図示略）が挿入される開口(23)、電源装置(12)が発生する熱を外部に排出するための放熱孔(24)、ホッパーユニット(８)が発生する熱を外部に排出するための放熱孔(25)が穿設されている。なお、放熱孔(24)は、保護網(26)により覆われている。
【００２１】
開口(23)には、合成樹脂製のカバー(50)が着脱可能に取り付けられる。遊技島に自動循環補給装置が設置されている場合には、カバー(50)が取り外され、開口(23)は開放される。また、遊技島に自動循環装置が設置されていない場合には、カバー(50)を開口(23)に取り付けたままにして、開口(23)を閉鎖しておく。
【００２２】
カバー(50)は、正面視において、開口(23)より若干大きい矩形形状（主に図５参照）で、開口(23)を後面から閉鎖可能な平板状のカバー部(51)と、カバー部(51)の前面に突設され、背板(2d)の後側から開口(23)の内周に沿って、外周面が嵌合可能な矩形枠状のフランジ部(53)とを有している。なお、カバー(50)におけるカバー部(51)の後面は、後方へ向けて突出する突起部が一切存在しない平坦な形状となっている。
【００２３】
カバー部(51)には、ホッパーユニット(８)から発生する熱を外部に排出可能な多数の放熱孔(52)が穿設され、その多数の放熱孔(52)のうち真ん中の放熱孔(52a)は、作業者の指が挿入可能な大きさに形成される作業孔を兼用している。また、カバー部(51)の前面におけるフランジ部(53)の内側には、カバー(50)の剛性を高めるための格子状の補強リブ(55)が設けられている。
【００２４】
フランジ部(53)の左右両側には、背板(2d)の後面から、フランジ部(53)を開口(23)に嵌合させた際、開口(23)の前面周縁に係合し、カバー(50)を開口(23)内に抜止め固定可能な左右１対の弾性爪片(54)が設けられている。この各弾性爪片(54)は、左右方向へ弾性変形可能で、内側に弾性変形させることにより、開口(23)の前面周縁から離脱して、カバー(50)を開口(23)から取り外し可能にする。なお、作業孔(52a)及び各弾性爪片(54)は、図６に示すように、作業孔(52a)に差し込んだ指(Ａ)により、弾性爪片(54)を内側に弾性変形させ得るような位置関係に設けられる。
【００２５】
遊技島に自動循環補給装置が設置されていない場合には、カバー(50)を背板(2d)の開口(23)に取り付けて、開口(23)を閉鎖する。この閉鎖状態においては、フランジ部(53)の外周面が開口(23)の内周に沿って嵌合するため、カバー(50)は確実に開口(23)に取り付けられる。また、カバー(50)におけるカバー部(51)の後面には、後方へ突出する突起部が一切存在しないため、遊技機(１)を安全に搬送することができるとともに、背中合わせに据え付けられる他の遊技機に、カバー(50)が干渉することがないため、据え付けスペースに余分なスペースを確保することがない。
【００２６】
遊技島に自動循環補給装置が設置されている場合には、カバー(50)を開口(23)から取り外して、開口(23)を開放する。カバー(50)を取り外す場合には、図６に示すように、背板(2d)の後側から、作業者の指(Ａ)を作業孔(52a)に差し込む。そして、差し込んだ指(Ａ)により、左右いずれか一方の弾性爪片(54)の前端部を押さえて内側に弾性変形させて、弾性爪片(54)を開口(23)の前面周縁から離脱させた状態で、カバー部(51)を後方へ引き出す。これにより、カバー(50)を作業孔(23)から取り外すことができる。開放された開口(23)には、自動循環補給装置の補給ホースが挿入される。
【００２７】
カバー(50)の取り外しは、作業孔(52a)に差し込んだ指(Ａ)により、弾性爪片(54)を弾性変形させることにより可能であるので、針金等の不正具を用いて、不正行為によりカバー(50)を取り外すことは実質的に不可能である。
【００２８】
以上、本発明の一実施形態について説明したが、本発明の要旨を逸脱しない範囲内で、本実施形態に対して、下記のような種々の変形や変更を施すことが可能である。
（ｉ）遊技機(１)を遊技媒体がパチンコ玉であるパチンコ機またはスロットマシンとする。
（ii）弾性爪片(54)を、カバー部(51)の前面上下に設ける。
（iii）外部挿入物を、筐体(２)内に収容される遊技機器と外部機器とを接続するハーネスとする。
【図面の簡単な説明】
【００２９】
【図１】本発明を適用した遊技機の正面図である。
【図２】同じく前扉を開けた状態の遊技機の正面図である。
【図３】斜め後方から見た筐体の斜視図である。
【図４】斜め前方から見たカバーの斜視図である。
【図５】カバーの正面図である。
【図６】図５におけるVI−VI線に沿う横断面図である。
【符号の説明】
【００３０】
(１)遊技機
(２)筐体
(2a)左側板
(2b)右側板
(2c)底板
(2d)背板
(３)前扉
(3a)遊技情報表示窓
(3b)識別情報表示窓
(3c)受皿部
(４)ヒンジ軸
(５)中板
(６)リールユニット
(８)ホッパーユニット（遊技機器）
(９)オーバーフロータンク
(10)主制御基板
(12)電源装置
(21)(22)(24)(25)放熱孔
(23)開口
(26)保護網
(31)メダル投入部
(34)スタートレバー
(35)ストップボタン
(50)カバー
(51)カバー部
(52)放熱孔
(52a)放熱孔（作業孔）
(53)フランジ部
(54)弾性爪片
(55)補強リブ
(61)リール枠体
(62)回転リール
【図１】
2006043312.tif 000003
【図２】
2006043312.tif 000004
【図３】
2006043312.tif 000005
【図４】
2006043312.tif 000006
【図５】
2006043312.tif 000007
【図６】
2006043312.tif 000008